(57)【要約】【目的】ほとんど水中視界のないダム湖及び、河川の水中構造物現況調査時の撮影に於いて、無視界及び不良視界水中撮影ハウジング機構の使用により、今後の有用な策定データとなり得る、非常に鮮明な撮影結果を実現する。【課題】従来から、透明度の高い水中では鮮明な撮影結果が得られるが、視界不良状況の水中では、浮遊縣濁物質により撮影が出来ない場合もあり、水質による影響が、撮影結果を大きく左右していた。【解決手段】無視界及び不良視界水中域の、撮影対象物とカメラレンズの間に存在する浮遊縣濁物質を、撮影ハウジングで隔した撮影領域内に於いて、透明な水を当該ハウジング内に送り込み換水させる事によって完全に取り除き、鮮明な水中撮影を実現させる事を可能とした。【選択図】図２
2005195712.tif 000002
【特許請求の範囲】
【請求項１】
不良視界及び無視界の水中において、鋼構造物並びにコンクリート構造物等の約５０平方センチメートル当たり（広面積撮影時はハウジングのサイズを適宜大きくする。）の表面積がほぼ平面である場合の表面の状況を、水抜き弁を配置したアクリル製等で構成された内部状況が確認できる撮影ハウジングに、水中用カメラ及び、水中用カメラストロボ又は、水中用ビデオカメラ及び、ビデオライトを取り付け、その撮影ハウジングに取り付けた送水口から透明な水を水道又は、水槽より送水ポンプを作動させ送り込む事によって、また、水道が付近になく、水槽も近隣に設置できない場合は、その水域の濁水をポンプで汲み上げ、浄化フィルターで濁りを取り除き送水するフローティング浄化ユニットにより、濁水を排出させて換水させた後に鮮明な水中撮影を行う為の、無視界及び不良視界水中撮影ハウジング機構。
【請求項２】
無視界及び不良視界水中撮影ハウジング機構の開口端部に、アクリル製等で構成された内部状況が確認できる軟泥底質沈下止め側板と、浮泥攪拌及び、巻き上げ防止用隔壁板の付いたアタッチメントを設置した事を特徴とする、砂泥底質等を鮮明に撮影する為の、請求項１記載の無視界及び不良視界水中撮影ハウジング機構。
【請求項３】
無視界及び不良視界水中撮影ハウジング機構にアクリル製等で構成された内部状況が確認できる立体物撮影用アタッチメントを設置した事を特徴とする、立体物を鮮明に撮影する為の、請求項１記載の無視界及び不良視界水中撮影ハウジング機構。
【発明の詳細な説明】
【技術分野】
【０００１】  この発明は、無視界及び不良視界の水中に於ける鮮明な撮影結果が得られる機構に関する。
【背景技術】
【０００２】来従来の水中撮影で鮮明な画像を得るには、透明度の高い水中域に於いて撮影する事が最低条件とされ、水中視界が悪化するつれ、撮影対象物とレンズ間の浮遊縣濁物質が撮影結果に大きく影響を与えていた。
【発明の開示】
【発明が解決しようとする課題】
【０００３】  しかしながら、以上の技術によれば、特にダム等のコンクリート構造物である堰堤及び、汚濁河川に於ける各種構造物の現況確認の為の水中撮影を実施しても、水深が深くなるにつれ無視界に近く撮影は困難を極め、目視及び接触確認をするのみに留まっている現状である。
そこで、この発明は、通常の水中撮影では困難と考えられていた無視界及び不良視界水中域に於いて、非常に鮮明かつ正確な撮影が実現でき、水中構造物並び付着物の正確な把握が出来る水中撮影機構を提供する事を課題とする。
【課題を解決するための手段】
【０００４】  以上の課題を解決する為に、第一発明は、無視界及び不良視界水中域の、ほぼ平面を有する撮影対象物とカメラレンズの間に存在する浮遊縣濁物質を、撮影ハウジングで隔した撮影領域内に於いて、透明な水を当該ハウジング内に送り込み換水させる事によって完全に取り除き、鮮明な水中撮影を実現させる事を特徴とする無視界及び不良視界水中撮影ハウジング機構である。【０００５】また、第二発明は、水中構造物の平面撮影に留まらず、水中底部の攪拌しやすい浮泥及び砂泥底質の状況撮影の為、当該撮影ハウジングを砂泥底に置いても沈み込まないように軟泥底質沈下止め側板と、さらに、当該ハウジング内に送水した時に、水流によって底部表層の浮泥が攪拌しないよう隔壁板を差し込んだアタッチメントを取り付け、換水した後に隔壁板をゆっくり引き抜き、浮泥直上の僅かな濁水が透明な水と混ざり合い、良好な視界を保持した後に、現況のままの撮影ができる事を特徴とする。【０００６】また、第三発明は、当該ハウジング開口部が閉鎖されていない状況に於いても、送水の流量を多くする事によって、当該ハウジング内の濁水が取り除かれ、透明な撮影領域が当該ハウジング内に保持されるよう、撮影領域を広げ、立体物の撮影を容易にする為の、当該ハウジングの開口端部に立体撮影用アタッチメントを取り付ける事を特徴とする。
【発明の効果】
【０００７】  第一発明、第二発明、または第三発明によれば、無視界及び不良視界水中域に於ける平面並びに立体物の鮮明な撮影が可能となった。
【発明を実施するための最良の形態】
【０００８】  この発明の実施形態１を、図１及び、図２に示す。
図１は、第一発明の実施形態に係わる無視界及び不良視界水中撮影ハウジング機構に、既製水中カメラとカメラ用ストロボを取り付けたシステム全体の斜視図であり、図２は、無視界及び不良視界水中撮影ハウジング機構本体の斜視図である。図１に於いて、１は既製水中カメラ、２はカメラ用ストロボ、３は当該ハウジング機構本体であり、内部確認が出来るよう、透明アクリルで構成されている。図２に於いて、４はカメラ取り付け台、５はネオプレーン地製広角レンズ挿入口、６はネオプレーン地製カメラ用ストロボ挿入口、７は送水ホースジョイント、８は水流拡散孔群、９は排水弁、１０はネオプレーン地製撮影面密着スカート部である。【０００９】本発明に係わる無視界及び不良視界水中撮影ハウジング機構を使用して撮影を実施する場合は、次の通りである。既製水中カメラ及び、カメラ用ストロボをカメラ取り付け台４及び、カメラ用ストロボ挿入口６に取り付けカメラ用水中広角レンズを当該ハウジング内部より、レンズ挿入口５に差し込みながらカメラ本体に取り付ける。水道、フローティング浄化ユニット又は、水漕内に設置した送水ポンプに送水ホースをつなぎ、もう一方のホース端部を送水ホースジョイント７に接続して、準備を完了する。既製水中カメラ１及び、カメラ用ストロボ２をセットした当該撮影ハウジング３を水中に携行し、撮影対象物に撮影面密着スカート部１０を押し当て、固定した後に送水を開始する。透明水は送水ジョイント７より内部に送り込まれ、水流拡散孔群８より効率的に拡散し、排水弁９より濁水が排出される。換水完了を確認する為に、当該ハウジング内を水中ライトにより顔を近づけて目視し、鮮明な状態を確認した後、撮影を実施する。【００１０】  この発明実施形態２を図３に示す。
図２は無視界及び不良視界水中撮影ハウジング機構に、砂泥底質撮影用アタものを示し、１１は透明アクリル製砂泥底質撮影用アタッチメント本体、１２は透明アクリル製軟泥底質沈下止め側板、１３は透明アクリル製隔壁板、１４は隔壁板ガイドである。【００１１】本発明に係わる無視界及び不良視界水中撮影ハウジングに砂泥底質撮影用アタッチメントを装着した機構を使用して撮影を実施する場合は、次の通りである。当該機構を水中に携行し、砂泥底に、浮泥を巻き上げないように軟泥底質沈下止め側板１２を下にして、ゆっくり着地させる。通常の撮影準備を経ながら濁水と透明水を換水させた後、隔壁板１３を注意深く抜き取って隔壁板ガイド１４から抜きとり、透明水と砂泥直上水とを接触させ、混ざり合うのを待つ。良好な視界を確保した後に撮影を実施する。この撮影方法により、底状の現況を忠実に撮影する事が可能となる。【００１２】  この発明実施形態３を図４に示す。
図４は無視界及び不良視界水中撮影ハウジング機構に、立体物撮影用アタッチメントを取り付けた斜視図である。図４に於いて、４〜１０は図２と同様のものを示し、１５は透明アクリル製立体物撮影用アタッチメント本体である。【００１３】本発明に係わる無視界及び不良視界水中撮影ハウジングに立体物撮影用アタッチメントを装着した機構を使用して撮影を実施する場合は、次の通りである。当該機構を水中に携行し、撮影対象物に立体物撮影用アタッチメント１５を覆いかぶせて送水する。送水流量を多くする事によって、濁水が当該ハウジングから取り除かれ、水流効果により当該アタッチメント内の視界を確保する事が出来る。
【他の実施形態】
【００１４】他の実施形態では、既製水中カメラの代わりに既製水中ビデオカメラ及び、カメラ用ストロボの代わりに水中ビデオライトを取り付けて鮮明な動画を撮影する事も出来る。
【図面の簡単な説明】
【００１５】
【図１】第一発明の一つの実施形態に係わる、無視界及び不良視界水中撮影ハウジング機構の全システムを示す斜視図である。
【図２】第一発明の一つの実施形態に係わる、無視界及び不良視界水中撮影ハウジング機構本体を示す斜視図である。
【図３】第二発明の一つの実施形態に係わる、無視界及び不良視界水中撮影ハウジング機構に取り付けられた砂泥底質撮影用アタッチメントを示す斜視図である。
【図４】第三発明の一つの実施形態に係わる、無視界及び不良視界水中撮影ハウジング機構に取り付けられた立体物撮影用アタッチメントを示す斜視図である。
【符号の説明】
【００１６】１既製水中カメラ
２カメラ用ストロボ
３無視界及び不良視界水中撮影ハウジング機構本体
４カメラ取り付け台
５ネオプレーン地製広角レンズ挿入口
６ネオプレーン地製カメラ用ストロボ挿入口
７送水ホースジョイント
８水流拡散孔群
９排水弁
１０ネオプレーン地製撮影面密着スカート部
１１透明アクリル製砂泥底質撮影用アタッチメント本体
１２透明アクリル製軟泥底質沈下止め側板
１３透明アクリル製隔板
１４隔壁板ガイド
１５透明アクリル製立体物撮影用アタッチメント本体である。
【図１】
2005195712.tif 000003
【図２】
2005195712.tif 000004
【図３】
2005195712.tif 000005
【図４】
2005195712.tif 000006